(57)【要約】【課題】  伝送品質を向上可能な電源プラグを提供する。【解決手段】  電極部端子ベース２と、該電極部端子ベース２に接続されたワイヤ１１と、該電極部端子ベース２に冠着された導通式ハウジング１２とを備える電源プラグ１において、該導通式ハウジング１２の内層に、絶縁層１３と、該ワイヤ１１を固定するためのワイヤ固定手段５とが設けられ、該ワイヤ固定手段５により該ワイヤ１１が該ハウジング本体４内に固定され、該導通式ハウジング１２外層の遮断部１４により外部からのノイズや電磁波の干渉を遮断させることで、電源の伝送品質が確保される。【選択図】図２
2009302043.tif 000002
【特許請求の範囲】
【請求項１】
導電端子と接地端子とを有する電極部端子ベースと、
前記導電端子及び前記接地端子にそれぞれ接続された芯線を含むワイヤと、
前記電極部端子ベースに冠着されたハウジング本体と、前記ハウジング本体外層に設けられた遮断部と、前記ハウジング本体内層に位置した絶縁層と、前記ハウジング本体内部に収容され前記ワイヤを固定するためのワイヤ固定手段と、前記電極部端子ベースに電気的に接続された導通固定部材とを含む導通式ハウジングと、
を備えることを特徴とする電源プラグ。
【請求項２】
前記ハウジング本体は、少なくとも１対の導通固定部材が前記ハウジング本体の内部にそれぞれ螺設され前記接地端子が導通されるための導通孔を備えることを特徴とする請求項１に記載の電源プラグ。
【請求項３】
前記導通孔がネジ孔であり、前記導通固定部材がネジであることを特徴とする請求項２に記載の電源プラグ。
【請求項４】
前記ワイヤ固定手段が、前記ハウジング本体に間隔を置いて設けられたプレス部材と、前記ワイヤを挟持するためにそれらのプレス部材の間に設けられた挟持部材と、前記ハウジング本体を介して前記プレス部材の両端にそれぞれ螺設された少なくとも１対の固定部材と、を備えることを特徴とする請求項１に記載の電源プラグ。
【請求項５】
前記プレス部材及び前記挟持部材のそれぞれが凹部を有し、前記凹部の形状が前記ワイヤの形状に対応することを特徴とする請求項４に記載の電源プラグ。
【請求項６】
前記凹部の形状が円弧形であることを特徴とする請求項５に記載の電源プラグ。
【請求項７】
前記プレス部材がプレス板であり、前記挟持部材が絶縁ワッシャであり、前記固定部材がネジであることを特徴とする請求項４に記載の電源プラグ。
【請求項８】
前記プレス部材が金属プレス板であり、前記挟持部材がプラスチックワッシャであることを特徴とする請求項７に記載の電源プラグ。
【請求項９】
前記電極部端子ベースが、ナイロン、ガラス繊維又はセラミックス粉末の複合材料からなる絶縁体であることを特徴とする請求項１に記載の電源プラグ。
【請求項１０】
前記導通式ハウジングが、金属、炭素繊維又は繊維強化プラスチック絶縁層による複合材料からなることを特徴とする請求項１に記載の電源プラグ。
【請求項１１】
前記遮断部が、炭素繊維の複合材料からなる炭素繊維複合層を含むことを特徴とする請求項１に記載の電源プラグ。
【発明の詳細な説明】
【技術分野】
【０００１】
本発明は、電源供給の手段に関し、特に電源の伝送品質を向上可能な電源プラグに関するものである。
【背景技術】
【０００２】
近年、様々な電気設備（特に音響設備）に対する電源品質の影響や、電気設備内に流れ込む電流の不安定性が様々な電気設備の正常稼動に影響を及ぼし、ひいては機械的振動、ノイズや過電圧が引き起こされることで、電気設備において部分的過熱、絶縁の劣化、あるいは寿命の短縮が生じ、それによって出力音質、画面品位の低下が惹起されるといった問題が、各分野から注目されている。
【０００３】
しかしながら、より好ましい機械的強度や安全性のために電源プラグ内部に設けられた複数の「金属性ネジ」が、ある問題を引き起こしている。即ち、該電源プラグ内部に電流が流れた時、電流が発生させた磁界によって、電流に近い金属性ネジの金属原子内部における電子エネルギー準位（ｅｎｅｒｇｙ  ｌｅｖｅｌ）が変化し、もともと金属原子内部に収束された電子の一部が遊離し、金属性ネジの内部電子が流動してしまい、そうして生成された電子の流動に伴って磁界が生じ、またそうして生成された磁界が電源から製品へと流れる電流の安定性に干渉するため、該電源プラグを使用した電気設備の電源品質が劣化することがあった。
【０００４】
上記の課題を解決するために、本願の出願人は中華民国特許願第０９０１２８８８７号（公告第５２９２１０号）（特許文献１）として「電源プラグ」を出願した。図１に示すように、電源プラグ２００は、導電端子１００及び接地端子１０１を有する端子ベース１１０と、芯線が該導電端子１００及び接地端子１０１にそれぞれ接続されたワイヤ１１１と、端子ベース１１０に一体に形成されたカバー１２０と、第３の導体２７を接地させるための接地手段１３０と、を備えている。端子ベース１１０とカバー１２０がともにプラスチック製であるため、電源プラグ２００において独立した第３の導体２７を接地手段１３０により接地させることで、電源品質が電磁効果によって悪くなることを防止することができる。なお、端子ベース１１０とカバー１２０は、ここでは、第１のボルト１０２により固定される。
【０００５】
ただし、前述のように電源プラグ２００の端子ベース１１０及びカバー１２０がともにプラスチック材質である場合には、コストは節約できるが、電磁波等によるノイズの干渉を外部から遮断できる効果は極めて限られている。また、プラスチック製の端子ベース１１０及びカバー１２０では重さが軽く強度も弱いことから、振動が起こりやすくなり、電流電源の伝送品質に影響を及ぼすのみならず、強度が弱いために使用寿命も短くなることがあった。また、電源品質が電磁効果によって悪くなることを防止するために、このような従来技術の適用においてはその他の部材（例えば導通部材）を別途使用して接地を行う必要があり、所要の部材数が増加してしまうことがあった。
【０００６】
従って、いかにして従来技術の種々の欠点を解決するための電源供給手段を提供するかが、解決すべき極めて重要な課題となっている。
【先行技術文献】
【特許文献】
【０００７】
【特許文献１】中華民国特許公告第５２９２１０号公報（図１）
【発明の概要】
【発明が解決しようとする課題】
【０００８】
そこで、以上のとおりの事情に鑑み、本発明は、外部からの電磁波及びノイズの干渉を効果的に遮断でき、電源伝送の品質を確保できる電源プラグを提供することを課題とする。
【０００９】
また、本発明は、部材数が節約できる電源プラグを提供することを課題とする。
【００１０】
さらに、本発明は、構造を強化できるとともに使用上の安全性が向上可能な電源プラグを提供することを課題とする。
【００１１】
さらにまた、本発明は、振動を低減又は抑制でき、安定性を向上可能な電源プラグを提供することを課題とする。
【課題を解決するための手段】
【００１２】
上記の課題を解決するために、本発明に係る電源プラグは、導電端子と接地端子とを有する電極部端子ベースと、芯線がそれぞれ該電極部端子ベースの導電端子及び接地端子に接続されたワイヤと、該電極部端子ベースに冠着されたハウジング本体、該ハウジング本体外層に設けられた遮断部、該ハウジング本体内層に位置した絶縁層、該ハウジング本体内部に収容され該ワイヤを固定するために用いられるワイヤ固定手段、及び該電極部端子ベースに電気的に接続された導通固定部材を含む導通式ハウジングと、を備える。
【発明の効果】
【００１３】
従来の技術と比較して、本発明に係る電源プラグでは、導通性を有する導通式ハウジングが利用されているため、従来の導通部材が省けるとともに、この導通式ハウジングの遮断部と合わせて利用することによって、外部からのノイズや電磁波の干渉を効果的に遮断することができるため、電源伝送時の品質の確保が図られるようになる。
【図面の簡単な説明】
【００１４】
【図１】従来の電源プラグの分解斜視図である。
【図２】本発明に係る電源プラグの一つの実施例の分解斜視図である。
【図３】本発明に係る電源プラグの図２に示す一つの実施例の横断面図である。
【図４】本発明に係る電源プラグの一つの実施例におけるワイヤ固定手段の一部を模式的に示した図である。
【発明を実施するための形態】
【００１５】
電源プラグの一つの実施例に基づいて本発明に係る実施方法を説明する。この技術に関する通常の知識を有する者であれば本明細書に記載の内容に基づいて本発明のその他の利点や効果を容易に理解できる。以下の実施例は、本発明の観点をさらに詳しく説明するものである。ただし、本発明の範囲はこれらの実施例に限定されるものではない。
【実施例】
【００１６】
本発明に係る電源プラグの一つの実施例における分解斜視図を図２に示す。電源プラグ１は、電極部端子ベース２、ワイヤ１１、及び導通式ハウジング１２を備える。そのうち、電極部端子ベース２は導電端子Ｌ、Ｎ及び接地端子Ｅを有し、ワイヤ１１の芯線は、導電端子Ｌ、Ｎ及び接地端子Ｅにそれぞれ接続され、導通式ハウジング１２は導通固定部材３により電極部端子ベース２に電気的に接続され、導通式ハウジング１２は電極部端子ベース２に冠着されたハウジング本体４と、ハウジング本体４外層に位置した遮断部１４と、ハウジング本体４内層（本実施例では内壁に設けられている）に位置した絶縁層１３と、ハウジング本体４内部に収容されたワイヤ固定手段５（図３の説明で後述する。）と、電極部端子ベース２に電気的に接続された導通固定部材３と、導電性の導通固定部材３が導通式ハウジング１２のハウジング本体４内部に螺入されるための第１の導通孔（図示せず）と、を備える。導通固定部材３は、導通式ハウジング１２の伝導性により接地することができる。遮断部１４は、電磁波を遮断するためにハウジング本体４の表面に設けられている。
【００１７】
本実施例において、導通式ハウジング１２は、少なくとも１対の導通固定部材３が電極部端子ベース２を介してハウジング本体４の内部に螺入されるための第１の導通孔（図示せず）を備え、この第１の導通孔を介して、導通固定部材３がそれぞれ導通式ハウジング１２内部に螺入されることで、接地端子Eが導通される。この第１の導通孔はネジ孔であってよく、この導通固定部材３は該ネジ孔に対応するネジであってよい。
【００１８】
本発明に係る電源プラグの一つの実施例の横断面図を図３に示す。ここで、ワイヤ固定手段５は、電源プラグ１のハウジング本体４のほぼ中央箇所において円弧形凹部が設けられたプレス部材９と、導通式ハウジング１２を貫いてプレス部材９の両端にそれぞれ螺入された少なくとも１対の固定部材７、７”と、を備える。プレス部材９は、導通式ハウジング１２のハウジング本体４に間隔を置いて設けられ、プレス部材９の対向箇所は、円弧形凹部が設けられた上ワッシャ６であり、プレス部材９と上ワッシャ６との間に、より小さな円弧形凹部を有する下ワッシャ１０が設けられている。上ワッシャ６及び下ワッシャ１０は挟持部材として用いられ、上ワッシャ６と下ワッシャ１０との間にはワイヤ１１が通過するための空間がある。ワイヤ固定手段５の左右両端にそれぞれ１対の固定部材７、７”に対応する１対の第２の導通孔８、８”が穿設され、１対の第２の導通孔８、８”を介して１対の固定部材７、７”により導通式ハウジング１２がワイヤ固定手段５に結合される。また、１対の固定部材７、７”は、導通式ハウジング１２の伝導性によって接地され、例えばネジ又はその他の伝導接地可能な等価部材であってよい。
【００１９】
本実施例においては、金属圧板をプレス部材９として使用する。これは、ワイヤの固定時にはプレス部材９の受ける圧力が最も大きいことから、プレス部材９自体の強度を向上させ最適な振動抑制効果を得るためである。その他の実施例において、その他の材質の圧板をプレス部材９として使用してもよいことは言うまでもない。
【００２０】
また、上ワッシャ６と下ワッシャ１０との間の間隙は、ワイヤ１１を緊密に挟持するためにワイヤ１１の外形サイズに一致している。さらに、図４に示すように、上ワッシャ６及び下ワッシャ１０を円弧形凹部として設計するのは、ワイヤ１１との接触面積を増大させるとともに、ワイヤ１１を挟持する場合の安定性を高めることにより、ワイヤ１１の脱落によって安全性に不具合が生じることを回避するためである。また、例えばプラスチックワッシャを上ワッシャ６及び下ワッシャ１０として利用して、それらの間に挟持されるワイヤ１１を保護してもよいが、これらに限定されるものではない。つまり、上ワッシャ６及び下ワッシャ１０は、その他の材質である絶縁ワッシャであってもよい。また、本実施例において、プレス部材９及び該挟持部材（例えば上ワッシャ６及び下ワッシャ１０）は円弧形凹部を有するが、これに限定されるものではない。該凹部の形状がワイヤ１１の形状に対応し、ワイヤ１１との接触面積の増大及びワイヤ１１を挟持する際の安定性の向上が図られるものであれば、いずれも本発明に適用可能である。
【００２１】
図２及び図３に示すように、ワイヤ１１が導通式ハウジング１２を介して、ワイヤ固定手段５のプレス部材９、下ワッシャ１０及び上ワッシャ６に挟持された後、電源プラグ１の中央箇所にほぼ固定され、ワイヤ１１に接触した下ワッシャ１０及び上ワッシャ６がプラスチック材質であるため、導通式ハウジング１２内部の絶縁層１３と合わせて用いることができる。
【００２２】
ワイヤ１１内の芯線は、電極部端子ベース２の導電端子Ｌ、Ｎ及び接地端子Ｅにそれぞれ接続されている。導通式ハウジング１２は伝導性のある材質からなるものであるため、導通素子を介することなく直接導通接地することが可能であり、従来の技術と比較して導体素子（例えば図１における第３の導体２７）を省略することができる。また、導通式ハウジング１２は、ハウジング本体４の外層に設けられた遮断部１４を利用することにより、ノイズや電磁波を遮断し、電源伝送品質を確保することができる。
【００２３】
また、導通式ハウジング１２のハウジング本体４は、例えばステンレス、アルミニウム、鉄又は銅などの伝導性のある金属材質からなるハウジングであってよい。遮断部１４は、炭素繊維等の複合材料からなる炭素繊維複合層を使用してよい。絶縁層１３は、繊維強化プラスチック等の絶縁材料からなる繊維強化プラスチック絶縁層であってもよいが、これに限定されるものではない。また、導通式ハウジング１２のハウジング本体４が金属材質からなるのは、電源プラグ１全体の構造の強度を向上可能であるのみならず、金属材料自体の重さによって電源プラグ１において電源伝送時に生じる微振動の減少や抑制もでき、電源伝送時の品質や使用上の安全性を向上させることができるためである。
【００２４】
その他の実施例において、電極部端子ベース２は、例えばナイロン、ガラス繊維又はセラミックス粉末等の複合材料からなる絶縁体であってもよい。金属、炭素繊維又は繊維強化プラスチック絶縁層による複合材料からなるハウジングを導通式ハウジング１２として使用しても、構造全体の強度を向上可能であるのみならず、電源プラグ１において電源伝送時に生じる微振動を抑制し安定性を向上させることもできるため、電源伝送の品質の確保が図られることは言うまでもない。さらに、一般的に用いられるプラスチック等の材料と比較して、セラミックス粉末が添加された複合材質の使用によって、部材の融点や構造全体の難燃性が更に向上し、長時間使用しても過熱によって溶融してしまう虞もなく、全体の安全性が高く確保されるようになる。
【００２５】
ただし、上述は単に本発明の好ましい実施例を示したものに過ぎず、本発明に係る実質的な技術内容の範囲がそれらに限定されるものではない。例えば電極部端子ベース２に備えられた導電端子Ｌ、Ｎ及び接地端子Ｅは、雌プラグタイプであってもよく、雄プラグタイプであってもよい（図示せず）。また、プレス部材、固定部材、導通部材は、錆防止処理又はその他の処理がなされた素子を使用してもよい。
【００２６】
以上本発明の実施形態を説明したが、本発明は上記実施形態に限定されるものではなく、特許請求の範囲、及び本明細書と図面に記載された技術的思想の範囲内において種種の変形が可能である。なお直接本明細書及び図面に記載のない何れの形状や構造や材質であっても、本願発明の作用・効果を奏するものであれば、本願発明の技術的思想の範囲内に含まれるものである。
【産業上の利用可能性】
【００２７】
本発明は伝送品質より向上した電源プラグを供給できるもので、極めて産業上有用で、利用可能性は大きい。
【符号の説明】
【００２８】
１  電源プラグ
２  電極部端子ベース
３  導通固定部材
４  ハウジング本体
５  ワイヤ固定手段
６  上ワッシャ
７、７”  固定部材
８、８”  第２の導通孔
９  プレス部材
１０  下ワッシャ
１１  ワイヤ
１２  導通式ハウジング
１３  絶縁層
１４  遮断部
２７  第３の導体
１００  導電端子
１０２  第１のボルト
１０１  接地端子
１１０  端子ベース
１１１  ワイヤ
１２０  カバー
１３０  接地手段
２００  電源プラグ
Ｅ  接地端子
Ｌ、Ｎ  導電端子
【図１】
2009302043.tif 000003
【図２】
2009302043.tif 000004
【図３】
2009302043.tif 000005
【図４】
2009302043.tif 000006